(57)【要約】【課題】タンクフィルタでの収集効率の向上を図るようにした食器洗浄機を提供する。【解決手段】この食器洗浄機１では、カゴ状のタンクフィルタ５１の底面５１ａが、洗浄水タンク２１における洗浄運転時の満水の水位より上方に位置するので、洗浄水タンク２１内の水の中にフィルタパネル５０及びタンクフィルタ５１が沈むことがない。これにより、フィルタ２０上で残菜などが浮遊することがなく、フィルタ効果を最大限に発揮することができる。しかも、タンクフィルタ５１に隣接させたフィルタパネル５０は、水平に対して傾斜されているので、フィルタ２０上での水の流れは、フィルタパネル５０からタンクフィルタ５１に向かうことになり、残菜などをタンクフィルタ５１へ確実に流し込むことができ、タンクフィルタ５１での残菜収集効率が向上することになる。【選択図】　図４
2004141355.tif 000002
【特許請求の範囲】
【請求項１】
ドアによって開閉可能な洗浄室と、前記洗浄室の下方に配置された洗浄水タンクとを備えた食器洗浄機において、
前記洗浄室の底面に配置されて前記洗浄室と前記洗浄水タンクとを連通させたフィルタは、
前記洗浄室の前記底面において水平に対し傾斜して配置されたフィルタパネルと、
前記フィルタパネルの下流側で隣接するカゴ状のタンクフィルタとを有し、
前記タンクフィルタの深さは、前記タンクフィルタの底面が前記洗浄水タンク内における洗浄運転時の満水の水位より上方に位置するように設定されていることを特徴とする食器洗浄機。
【請求項２】
前記フィルタパネルは、前記洗浄室の底板に対して着脱自在であると共に、前記前記洗浄室の前記底板に固定されたブラケット上に配置されることを特徴とする請求項１記載の食器洗浄機。
【請求項３】
前記洗浄水タンク内には、前記フィルタパネルの下方で上下方向に延在するオーバーフローパイプが配置され、
前記オーバーフローパイプは、前記洗浄水タンクに固定された外筒内に収容されると共に、前記オーバーフローパイプの胴部に設けられて、前記外筒の上端に引っ掛け可能なフック部を有し、
前記フック部は、前記オーバーフローパイプの引っ掛け時に前記オーバーフローパイプの頂部で前記フィルタパネルを押し上げる位置に設けられていることを特徴とする請求項１又は２記載の食器洗浄機。
【発明の詳細な説明】
【０００１】
【発明の属する技術分野】
本発明は、ドアによって開閉可能な洗浄室の下方に洗浄水タンクが設けられているタイプの食器洗浄機に関するものである。
【０００２】
【従来の技術】
従来、このような分野の技術として、特開平３−６８３２５号公報がある。この公報に開示された食器洗浄機において、洗浄室の底面には、水平面に対し傾斜させたフィルタパネルが配置されている。そして、ポンプによって吸引しながら、フィルタパネルにより残菜などの汚損物を濾過することで、比較的大きなものをフィルタ上に残留させ、残水は外部に排水される。
【０００３】
【特許文献１】
特開平３−６８３２５号公報
【特許文献２】
特開２００１−２９３０５号公報
【０００４】
【発明が解決しようとする課題】
前述した従来の食器洗浄機は、洗浄時やすすぎ時において、ポンプで吸引されながら排水されることになるが、このとき、フィルタパネル自体は洗浄室内の残水内に常に沈没している状態なので、ポンプによる吸引を常に必要とし、例えフィルタパネルを傾斜させていたとしても、浮遊する残菜などをガゴ形のタンクフィルタ内に導き入れ難く、タンクフィルタで残菜などを効率良く収集し難いといった問題点がある。
【０００５】
本発明は、特に、タンクフィルタでの収集効率の向上を図るようにした食器洗浄機を提供することを目的とする。
【０００６】
【課題を解決するための手段】
本発明に係る食器洗浄機は、ドアによって開閉可能な洗浄室と、洗浄室の下方に配置された洗浄水タンクとを備えた食器洗浄機において、洗浄室の底面に配置されて洗浄室と洗浄水タンクとを連通させたフィルタは、洗浄室の底面において水平に対し傾斜して配置されたフィルタパネルと、フィルタパネルの下流側で隣接するカゴ状のタンクフィルタとを有し、タンクフィルタの深さは、タンクフィルタの底面が洗浄水タンク内における洗浄運転時の満水の水位より上方に位置するように設定されていることを特徴とする。
【０００７】
この食器洗浄機では、カゴ状のタンクフィルタの底面が、洗浄水タンクにおける洗浄運転時の満水の水位より上方に位置するので、洗浄水タンク内の水の中にフィルタパネル及びタンクフィルタが沈むことがない。これにより、フィルタ上で残菜などが浮遊することがなく、フィルタ効果を最大限に発揮することができる。しかも、タンクフィルタに隣接させたフィルタパネルは、水平に対して傾斜されているので、フィルタ上での水の流れは、フィルタパネルからタンクフィルタに向かうことになり、残菜などをタンクフィルタへ確実に流し込むことができ、タンクフィルタでの残菜収集効率が向上することになる。
【０００８】
また、フィルタパネルは、洗浄室の底板に対して着脱自在であると共に、洗浄室の底板に固定されたブラケット上に配置されると好適である。この場合、洗浄室の底板に固定されたブラケットを、水平に対して傾斜して配置させることで、ブラケット上にフィルタパネルを置くだけの簡単な装着作業で、フィルタパネルを傾斜配置させることができ、しかも、フィルタパネルは洗浄室の底板に対して着脱自在になる。
【０００９】
また、洗浄水タンク内には、フィルタパネルの下方で上下方向に延在するオーバーフローパイプが配置され、オーバーフローパイプは、洗浄水タンクに固定された外筒内に収容されると共に、オーバーフローパイプの胴部に設けられて、外筒の上端に引っ掛け可能なフック部を有し、フック部は、オーバーフローパイプの引っ掛け時にオーバーフローパイプの頂部でフィルタパネルを押し上げる位置に設けられていると好適である。洗浄水タンク内の水を排水する場合、オーバーフローパイプを引き上げると洗浄水タンクの栓が外れる。このとき、オーバーフローパイプのフック部を外筒の上端に引っ掛けることで、オーバーフローパイプの置き場所を探すような煩わしさを無くすことができる。また、洗浄水タンクが深く設計されている食器洗浄機の場合、オーバーフローパイプが必然的に長くなるので特に有効である。さらに、オーバーフローパイプの引っ掛け時において、オーバーフローパイプの頂部は、フィルタパネルを押し上げる位置まで上がっているので、フィルタパネルは、持ち上げられた状態を維持し続けることになる。その結果、洗浄水タンクの栓が開いていることを目視によって確認することができ、目視による洗浄水タンクの栓の閉め忘れを簡単に確認することができ、利用者に対する注意の呼びかけを、簡単な構成をもって確実に図ることができる。
【００１０】
【発明の実施の形態】
以下、図面を参照しつつ本発明に係る食器洗浄機の好適な実施形態について詳細に説明する。
【００１１】
図１〜図３に示すように、食器洗浄機１は、ステンレス製の筐体２を有する洗浄機本体Ｂと、この洗浄機本体Ｂに設けられた洗浄室Ｓの開閉を行うドアＤとから主として構成されている。この食器洗浄機１は、いわゆるドアタイプと呼ばれるものであり、ドアＤを鉛直方向に上下動させることで洗浄室Ｓの開閉を行うものである。
【００１２】
この洗浄機本体Ｂにおいて、筐体２は上下に仕切られており、この筐体２の下部２ａには機械室３が設けられ、上部２ｂには洗浄室Ｓが設けられている。そして、機械室３内には、洗浄用循環ポンプ４、すすぎ用循環ポンプ５及び電装部品等を収容した電装箱６などが収容されている。これに対し、洗浄室Ｓの上部には、フリー回転自在で３本のＹ字状アームからなる上側洗浄ノズル１０と、フリー回転自在で一直線状に延びる上側すすぎノズル１１とが配置されている。同様に、洗浄室Ｓの下部にも、フリー回転自在で３本のＹ字状アームからなる下側洗浄ノズル１２と、フリー回転自在で一直線状に延びる下側すすぎノズル１３とが配置されている。このような上下２段のノズル構成によって、洗浄効率やすすぎ効率を高めている。なお、洗浄機本体Ｂの上部には、上側洗浄ノズル１０及び上側すすぎノズル１１を収容するためにキャップ状に形成されたステンレス製のトップパネル８が設けられている。
【００１３】
また、上側すすぎノズル１１と下側すすぎノズル１３との間に出現する洗浄室Ｓ内において、下側すすぎノズル１３の上方には、食器ラック（図示せず）を載置させるための金属製ラックレール（図示せず）が着脱自在に配置されている。この食器ラックは、飲食後の皿、茶碗、コップなどの食器を一括して自動洗浄するためのものである。この食器ラックを格子状に形成することで、食器を上下から同時に洗うことを可能にする。食器の一括搬送を可能にするこのような食器ラックを利用するタイプの食器洗浄機１は、喫茶店、レストラン、一般家庭などの厨房で幅広く利用されている。
【００１４】
さらに、図２及び図４に示すように、洗浄室Ｓの底面１４には、網目をもったフィルタ２０が配置され、このフィルタ２０の下方には、洗浄水やすすぎ水を貯めておくための洗浄水タンク２１が配置されている。よって、洗浄時やすすぎ時に食器から落とされた残菜などの汚損物のうちの比較的大きなものは、フィルタ２０の上面に残り、再利用可能な水が洗浄水タンク２１内に溜められる。
【００１５】
図４及び図９に示すように、このフィルタ２０は、洗浄室Ｓの底板５２に形成された矩形の開口部Ｋを塞ぐようにして洗浄室Ｓの底面１４に配置されると共に、洗浄室Ｓと洗浄水タンク２１とを連通させている。また、フィルタ２０は、パンチング加工により所定領域に網目が形成された平板状のフィルタパネル５０と、このフィルタパネル５０の下流側で隣接して配置されるカゴ（籠）状のタンクフィルタ５１とからなる。このフィルタ２０は、矩形の開口部Ｋの周縁に沿って洗浄室Ｓの底板５２に溶接されたＬ型ブラケット５３上に載置されている。よって、フィルタパネル５０及びタンクフィルタ５１は、洗浄室Ｓの底板５２に対して着脱自在となり、付着した残菜などの汚損物を清掃し易くしている。
【００１６】
さらに、水平面に対し所定の下り傾斜角度（例えば約５度）をもって、ブラケット５３が底板５２に溶接されることで、ブラケット５３上に単に置かれたフィルタパネル５０は、水平面に対して所定の下り傾斜角度をもつことになる。よって、フィルタ２０上の水の流れは、フィルタパネル５０からタンクフィルタ５１に向かうことになり、残菜などをカゴ状のタンクフィルタ５１へ確実に流し込むことができ、タンクフィルタ５１での収集効率の向上が図られる。
【００１７】
タンクフィルタ５１での更なる収集効率の向上を図るため、図４に示すように、タンクフィルタ５１の深さは、洗浄運転時、すすぎ運転時、運転停止時に拘わらず、タンクフィルタ５１の底面５１ａが洗浄水タンク２１内の満水の水位より上方に位置するように設定されている。これにより、タンクフィルタ５１の底面５１ａが、洗浄水タンク２１の満水時における水位より上方に位置することになるので、洗浄水タンク２１内の水の中にフィルタパネル５０及びタンクフィルタ５１が沈むことがない。従って、洗浄水タンク２１が満水になっても、フィルタ２０上で残菜などが浮遊することがなく、フィルタ効果を最大限に発揮することができる。
【００１８】
ここで、図９及び図１０に示すように、洗浄水タンク２１内には、満水時に一定水位に保つためのオーバーフローパイプ２２が配置されている。このオーバーフローパイプ２２は、フィルタパネル５０の下方で上下方向に延在する。オーバーフローパイプ２２の上端には、洗浄水タンク２１内の余剰な水を外部に排出するための排水口２２ａが形成され、この排水口２２ａからオーバーフローパイプ２２内に水を取り込むことで、洗浄水タンク２１内の水位が常に一定に保たれる。これに対し、オーバーフローパイプ２２の下端は、洗浄水タンク２１の底に設けられた排水管５４の栓として機能する。従って、利用者がオーバーフローパイプ２２を持ち上げると（図１１参照）、配水管５４の栓が外れ、洗浄水タンク２１内の水は、配水管５４を通って外部に排出されることになる（図１３参照）。
【００１９】
さらに、オーバーフローパイプ２２は、径の大きな外筒５６によって包囲されている。この外筒５６は、ブラケット５９を介して洗浄水タンク２１の壁面に固定される。そして、外筒５６は、洗浄水タンク２１の底の方の低温の水や汚損物を積極的に排水口２２ａに導くためのものであり、洗浄水タンク２１の底から所定距離だけ離されている。
【００２０】
図１２に示すように、オーバーフローパイプ２２の胴部２２ｂには、外筒５６の上端５６ａに引っ掛け可能なＬ字状のフック部５７が一体に形成されている。このフック部５７は、開栓時にオーバーフローパイプ２２の引っ掛けに利用されるばかりでなく、フィルタパネル５０の押し上げ効果も有する。よって、このフック部５７は、オーバーフローパイプ２２の引っ掛け時において、底板５２の矩形の開口部Ｋから頂部２２ｃが突出するように、オーバーフローパイプ２２の頂部２２ｃでフィルタパネル５０を押し上げることができる位置に設けられている。
【００２１】
図１３に示すように、洗浄水タンク２１内に溜まっている水を排水する場合、オーバーフローパイプ２２を引き上げると洗浄水タンク２１の栓が外れる。このとき、図１２に示すように、オーバーフローパイプ２２のフック部５７を外筒５６の上端５６ａに引っ掛けることで、オーバーフローパイプ２２の置き場所を探すような煩わしさを無くすことができ、しかも、オーバーフローパイプ２２が転がり落ちて破損する事態も起きない。また、洗浄水タンク２１が深く設計されているような場合、オーバーフローパイプ２２が必然的に長くなるので特に有効である。しかも、図１３及び図１４に示すように、フック部５７によるオーバーフローパイプ２２の引っ掛け時において、オーバーフローパイプ２２の頂部２２ｃは、底板５２の矩形の開口部Ｋから頂部２２ｃが突出し、フィルタパネル５０を押し上げる位置まで上がってきているので、フィルタパネル５０は持ち上げられた状態を維持し続けることになる。
【００２２】
その結果、洗浄水タンク２１の栓が開いていることを目視によって確認することができ、利用者に対する注意の呼びかけが、簡単な構成をもって確実に達成される。また、フィルタパネル５０を水洗いして元の場所にセットする際にも、オーバーフローパイプ２２の頂部２２ｃが開口部Ｋから突き出た状態なので、フィルタパネル５０を元の位置にセットすることができず、このとき始めて、栓の閉め忘れを利用者が気づくことになる。洗浄水タンク２１の栓を閉め忘れると、利用者が気づくまで水が垂れ流しの状態になってしまうので、前述したようなオーバーフローパイプ２２の構成は、利用する側にとって極めて有効な手段といえる。
【００２３】
次に、前述した食器洗浄機１の動作について簡単に説明する。なお、洗浄運転時においては、前回のすすぎの際に洗浄水タンク２１内に溜められている６０°Ｃ程度の洗浄水が利用される。そこで、洗浄ボタンをＯＮすると、洗浄用の循環ポンプ４によって洗浄水が上側及び下側洗浄ノズル１０，１２から噴射を開始する。このとき、各洗浄ノズル１０，１２は、噴射力の反力によって常に回転し続け、このような回転によって洗浄水が満遍なく食器に当たり続けるので、食器から汚損物が効率良く洗い落とされる。そして、洗浄工程を所定時間行った後、すすぎ工程に移行する。
【００２４】
すすぎ運転時においては、所定容量をもったすすぎ水タンク（図示せず）内に溜められている８０°Ｃの新鮮な温水が利用される。そこで、すすぎ工程に移行した際、すすぎ用の循環ポンプ５の駆動により、新鮮なすすぎ水が上側及び下側すすぎノズル１１，１３から噴射すると、各すすぎノズル１１，１３は、噴射力の反力によって常に回転し続け、このような回転により、すすぎ水が満遍なく食器に当たり続け、食器を効率良くすすぎ続ける。なお、すすぎ時に洗浄水タンク２１内に溜められる温水は、水の利用効率を上げるため洗浄水として利用される。
【００２５】
図１〜図３に示すように、前述した食器洗浄機１は、コーナ設置タイプであり、断面Ｌ字状のドアＤを鉛直方向に上下動させることで洗浄室Ｓの開閉を行うことができるタイプのものである。この食器洗浄機１には、ステンレス製のドアＤが設けられ、このドアＤは、片持ち支持状態で所定角度内を回動する操作レバー２５によって昇降する。この操作レバー２５は、洗浄機本体Ｂの上部に設けられたトップパネル８の天板２６に対し片持ち支持状態で軸支されたアーム部２７を有している。このアーム部２７は、ドアＤの側面２３に沿って直線的に延在する（図５参照）。図１及び図６に示すように、このアーム部２７の基端には、水平方向に延在する回動軸部２８の一端が固定され、この回動軸部２８は、洗浄機本体Ｂの天板２６に固定した左右一対の軸受部２９により回転自在に保持される。
【００２６】
さらに、操作レバー２５には、片手での操作を可能にするＬ字状のハンドル部３０が設けられている。このハンドル部３０の基端は、ドアＤの側面２３における前側で、連結ピン３１を介して片持ち支持状態で軸支されている。そして、ハンドル部３０は、前方に向けて延在すると共に、作業者の片手操作を容易にするための取っ手（把手）３０ａを有し、この取っ手３０ａは、ドアＤの前面２４に対峙する（図５参照）。なお、この取っ手３０ａは、ドアＤの上げ下げを考慮して略水平に延在する。
【００２７】
図１〜図３に示すように、アーム部２７の先端（遊端）とハンドル部３０の基端とを直線的な２本のリンク部３２，３２を介して連結する。互いのリンク部３２は略平行に配置され、各リンク部３２の両端は、アーム部２７の先端（遊端）とハンドル部３０の基端に対し回動自在に軸支されている。このように操作レバー２５は、アーム部２７とハンドル部３０と２本のリンク部３２との三構成要素からなるので、操作レバー２５のハンドル部３０を手で持って上げ下げする際に、ハンドル部３０の取っ手３０ａの移動軌跡は略直線的になり、ハンドル操作し易い。しかも、前述した構成は、ハンドル部３０の取っ手３０ａの移動距離を小さくしつつ、操作力の低減を可能にするので、利用者の作業負担を軽減する。
【００２８】
このような構成の操作レバー２５は、洗浄室Ｓの開口高さを大きくしたい場合に特に有効である。また、操作レバー２５は、一本のアーム部２７と、一本のハンドル部３０と、２本のリンク部３２とにより構成されるので、食器洗浄機１の側面１ａを、厨房のコーナ壁面Ｗ１に可能な限り近づけることができ（図５参照）、この操作レバー２５は、コーナ設置型に極めて適した構成と言える。なお、２本のリンク部３２は、互いに平行である必要はなく、所定角度をもって対向させるように配置してもよい。
【００２９】
更に、前述した操作レバー２５には、図６〜図８に示すように、アーム部２７の回動範囲を規制するストッパ手段３３と、ドアＤの持ち上げ力を補助して、ドアＤを持ち上げるときの操作力を軽減させるためのバネ手段３４とが更に設けられている。
【００３０】
このストッパ手段３３は、洗浄室Ｓの開口の高さに対応して取っ手３０ａの上下動範囲を規制するものである。ストッパ手段３３は、操作レバー２５の一部をなして天板２６の上方で水平に延在する回転軸部２８の両端において、回動軸部２８に対し垂直方向に立設させた左右一対の揺動レバー３５と、揺動レバー３５，３５の遊端間に架け渡されるように固定されると共に回動軸部２８に対して平行に延在するストッパピン３６と、ストッパピン３６の移動範囲に沿って円弧状に形成された規制溝３７を有すると共に天板２６に立設させた左右一対のストッパ板３８，３８とで構成されている。よって、取っ手３０ａを上下動させると、アーム部２７の回動に追従するストッパピン３６が規制溝３７の端に当たることで、ドアＤの上下動範囲が規制されることになる。そして、規制溝３７の長さを変更するだけの簡単な設計変更によって、ドアＤの昇降範囲を自由に設定することができる。なお、ストッパ板３８には、回転軸部２８の貫通を可能にする開口部３８ｂが形成されている。
【００３１】
このようなストッパ手段３３においては、ストッパ板３８に設けられた規制溝３７の両端によってストッパピン３６の移動範囲が規制され、その結果として、アーム部２７の回動範囲、すなわちドアＤの昇降範囲が規制されることになる。すなわち、規制溝３７の長さが長い場合には、ドアＤの昇降量が大きくなり、規制溝３７の長さが短い場合には、ドアＤの昇降量が小さくなる。このように、規制溝３７の長さは、洗浄室Ｓの高さに合わせて適宜選択される。よって、このようなストッパ手段３３の採用は、ストッパ機能の簡素化を図りつつ、様々な食器洗浄機への対応を容易にし、機種変更への対応を容易にする。しかも、ストッパ板３８が洗浄機本体Ｄの天板２６に取り付けられているので、何らかの原因でストッパ手段３３が破損した場合でも、ストッパ手段３３の構成部品（揺動レバー３５、ストッパピン３６及びストッパ板３８など）が洗浄室Ｓ内に入り込むことがないといった利点を併せもっている。
【００３２】
更に、ドアＤの持ち上げ力を補助するために採用されたバネ手段３４は、洗浄機本体Ｂの背面３９に沿って略鉛直方向に延在する引っ張り螺旋バネからなる。この螺旋バネ３４の下端にはＬ型ブラケット４０の上端が引っ掛けられ、このブラケット４０の下端は、雄ねじ４１のヘッド部に引っ掛けられている。そして、バネ力調整を可能にするため、雄ねじ４１のネジ部４１ａは、洗浄機本体Ｂの背面３９にネジ固定されて水平に延在するブラケット３９の開口内に差し込まれ、雄ねじ４１のネジ部４１ａに対しては、下方から調整ネジ４２を螺合させる。これにより、調整ネジ４２を所定の方向に回すだけで、螺旋バネ３４の初期設定長さの調整が図られ、螺旋バネ３４のバネ力を簡単に調整できる。
【００３３】
これに対し、螺旋バネ３４の上端は、直状の連接バー４４を介してストッパピン３６に連結されている。この連接バー４４は、洗浄機本体Ｂの背面３９に沿って略鉛直方向に延在し（図４参照）、連接バー４４の上端は、ストッパピン３６に対して回動自在に連結され、連接バー４４の下端には、螺旋バネ３４のフック部分３４ａを引っ掛けるためのフック穴４４ａが設けられている。よって、図７に示すように、操作レバー２５の取っ手３０ａを手で握ってドアＤを持ち上げる場合（ドアＤを開く場合）には、螺旋バネ３４のバネ力により、ドアＤが軽く持ち上がり、ドアＤを降ろす場合（ドアＤを閉じる場合）には、ドアＤの自重により、ドアＤを素早く閉めることができる。なお、この螺旋バネ３４は、ドアＤが下がるにつれて伸び続ける。
【００３４】
更に、図７に示すように、連接バー４４の上部４４ｂは、ストッパピン３６側に向け所定角度をもって屈曲する。同様に、連接バー４４の上部４４ｃも、洗浄機本体Ｂの背面３９側に向け所定角度をもって屈曲する。よって、螺旋バネ３４を、鉛直方向に可能な限り近づけるよう延在させることができる。従って、螺旋バネ３４が、製氷機本体Ｂの背面３９に沿うように配置されるので、食器洗浄機Ｂの背面３９を厨房のコーナ壁面Ｗ２（図５参照）に可能な限り近づけることができ、このことは、食器洗浄機１の占有スペースの縮小化に寄与する。
【００３５】
ここで、前述したストッパ手段３３は、洗浄機本体Ｂの天板２６上において左右のいずれかに選択的に取り付けることを予定している。例えば、食器洗浄機１が右コーナ設置タイプ（図１及び図５参照）であって、食器洗浄機１の左側にのみアーム部２７が存在する場合、前述したストッパ手段３３は、洗浄機本体１の天板２６において左側に配置されることになる。これに対し、食器洗浄機１が左コーナ設置タイプ（図示せず）であって、食器洗浄機１の右側にのみアーム部２７が存在する場合、前述したストッパ手段３３は、洗浄機本体の天板２６において右側に配置されることになる。
【００３６】
このように、アーム部２７の位置に応じ、ストッパ手段３３の位置が選択的に決定されるが、このような選択的な配置を可能にしているのは、ストッパ手段３３が洗浄機本体Ｂの天板２６に配置されることを基本にし、揺動レバー３５、ストッパピン３６及びストッパ板３８が共有化を容易にする部品だからである。部品の共有化を更に容易にするため、例えば、ストッパ板３８には、トップパネル８の後部側コーナ部分８ａへの固定を可能にするための取付け座部３８ａ（図５及び図６参照）が前後に設けられている。各取付け座部３８ａは、折り曲げによって側方へ張り出すように形成され、ネジ４６による固定を可能にしている。同様に、軸受部２９にも、トップパネル８の後部側コーナ部分８ａへの固定を可能にするための取付け座部２９ａ（図５及び図６参照）が設けられ、各取付け座部２９ａは、ネジ４７による固定を可能にしている。
【００３７】
更に、前述したストッパ手段３３及び軸受部２９を、左右いずれかに選択的に配置させるための寸法的な制約について説明する。例えば、図８に示すように、背面３９に中央において、上側洗浄ノズル１０用の洗浄水配管４８と上側すすぎノズル１１用のすすぎ水配管４９が立ち上がっている場合、螺旋バネ３４が各配管４８，４９に触れないようにするためには、左右の軸受部２９，２９の間隔を必要最小限の大きさにすることと、背面３９の横幅に関して、配管スペースの左右に螺旋バネスペースを確保しておくことが好ましい。これによって、右コーナ設置タイプの食器洗浄機か左コーナ設置タイプの食器洗浄機のいずれかを製造する場合であっても、配管４８，４９のレイアウトを変更する必要がなく、コーナ設置タイプの食器洗浄機の生産性を著しく阻害することがない。
【００３８】
本発明に係る食器洗浄機は先述した実施形態に限定されない。例えば、図１５に示すように、タンクフィルタ６１の深さは、運転停止時においてタンクフィルタ６１の底面６１ａが洗浄水タンク２１内の満水の水位より下方に位置するが、洗浄運転時において、底面６１ａが、一点鎖線で示すように、満水の水位より上方に位置するように設定されていてもよい。このように、運転停止時においてフィルタ６１の底面６１ａが洗浄水タンク２１内に沈んでいるような場合でも、いざ洗浄運転が開始されると、食器洗浄機の洗浄室Ｓ内や配管などに水が捕られるので、水位が下がることになり、このときの満水の水位を基準としてタンクフィルタ６１の深さを設定することも可能である。
【００３９】
【発明の効果】
本発明による食器洗浄機は、以上のように構成されているため、次のような効果を得る。すなわち、ドアによって開閉可能な洗浄室と、洗浄室の下方に配置された洗浄水タンクとを備えた食器洗浄機において、洗浄室の底面に配置されて洗浄室と洗浄水タンクとを連通させたフィルタは、洗浄室の底面において水平に対し傾斜して配置されたフィルタパネルと、フィルタパネルの下流側で隣接するカゴ状のタンクフィルタとを有し、タンクフィルタの深さは、タンクフィルタの底面が洗浄水タンク内における洗浄運転時の満水の水位より上方に位置するように設定されていることにより、タンクフィルタでの収集効率の向上を図ることができる。
【図面の簡単な説明】
【図１】本発明に係る食器洗浄機の一実施形態を示す斜視図である。
【図２】図１に示した食器洗浄機のドアを開いた状態を示す斜視図である。
【図３】図１に示した食器洗浄機の側面図である。
【図４】図１に示した食器洗浄機の部分断面図である。
【図５】図１に示した食器洗浄機の平面図である。
【図６】本発明に係る食器洗浄機に適用するストッパ手段の要部拡大斜視図である。
【図７】図６に示したストッパ手段の側面図である。
【図８】図１に示した食器洗浄機の背面図である。
【図９】フィルタパネル、タンクフィルタ及びオーバーフローパイプを示す斜視図である。
【図１０】図１に示した食器洗浄機の部分断面図である。
【図１１】開栓するためにオーバーフローパイプを持ち上げた状態を示す斜視図である。
【図１２】オーバーフローパイプを外筒に引っ掛けた状態を示す斜視図である。
【図１３】オーバーフローパイプを持ち上げて洗浄水タンクの栓を抜いた状態を示す部分断面図である。
【図１４】フィルタパネルが開いている状態を示す斜視図である。
【図１５】本発明に係る食器洗浄機の他の実施形態を示す断面図である。
【符号の説明】
１…食器洗浄機、１４…洗浄室の底面、２０…フィルタ、２１…洗浄水タンク、２２…オーバーフローパイプ、２２ｂ…胴部、２２ｃ…頂部、５０…フィルタパネル、５１，６１…タンクフィルタ、５１ａ，６１ａ…タンクフィルタの底面、５２…洗浄室の底板、５３…ブラケット、５６…外筒、５６ａ…外筒の上端、５７…フック部、Ｄ…ドア、Ｓ…洗浄室。
【図１】
2004141355.tif 000003
【図２】
2004141355.tif 000004
【図３】
2004141355.tif 000005
【図４】
2004141355.tif 000006
【図５】
2004141355.tif 000007
【図６】
2004141355.tif 000008
【図７】
2004141355.tif 000009
【図８】
2004141355.tif 000010
【図９】
2004141355.tif 000011
【図１０】
2004141355.tif 000012
【図１１】
2004141355.tif 000013
【図１２】
2004141355.tif 000014
【図１３】
2004141355.tif 000015
【図１４】
2004141355.tif 000016
【図１５】
2004141355.tif 000017